(57)【特許請求の範囲】
【請求項１】
着信側に発信者電話番号を通知する交換機に接続される留守番電話装置において、
前記交換機から通知されてくる発信者電話番号を取得する番号取得手段と、発信者からの用件メッセージの録音時には取得した発信者電話番号を対応付けして記憶手段に記憶・録音する該用件メッセージを管理する情報管理手段と、用件メッセージの再生時には該用件メッセージを発信者電話番号毎にまとめて受信順位に従って記憶手段から読み出して連続的に再生手段により再生する再生制御手段とを備え、
前記情報管理手段は、計時手段による計時時刻を用件メッセージの受信時刻として発信者電話番号と共に該用件メッセージに対応付けして管理する一方、
前記再生制御手段は、用件メッセージの受信時刻の間隔が設定時間内である用件メッセージに限って連続的に再生することを特徴とする留守番電話装置。
【請求項２】
着信側に発信者電話番号を通知する交換機に接続される留守番電話装置において、
前記交換機から通知されてくる発信者電話番号を取得する番号取得手段と、発信者からの用件メッセージの録音時には取得した発信者電話番号を対応付けして記憶手段に記憶・録音する該用件メッセージを管理する情報管理手段と、用件メッセージの再生時には該用件メッセージを発信者電話番号毎にまとめて受信順位に従って記憶手段から読み出して連続的に再生手段により再生する再生制御手段とを備え、
前記情報管理手段は、記憶手段に記憶・録音させることを許容する最大録音時間一杯までの用件メッセージであるか否かを管理する一方、
前記再生制御手段は、許容時間一杯の用件メッセージに続く用件メッセージに限って連続的に再生することを特徴とする留守番電話装置。
【請求項３】
前記情報管理手段は、記憶手段に記憶・録音させることを許容する最大録音時間一杯までの用件メッセージであるか否かを管理する一方、
前記再生制御手段は、許容時間一杯の用件メッセージに続く用件メッセージに限って連続的に再生することを特徴とする請求項１に記載の留守番電話装置。
【発明の詳細な説明】
【０００１】
【発明の属する技術分野】
本発明は、留守番電話装置に関し、詳しくは、発信者電話番号を利用して用件メッセージを好適に再生することができるものに関する。
【０００２】
【従来の技術】
従来より、ユーザが留守のときであっても回線接続を行って相手先が伝えたい用件メッセージを録音することができる留守番電話装置が知られており、ユーザが帰宅したときに用件メッセージを再生することができる。
この種の留守番電話装置は、一般的には、用件メッセージの受信時刻が早いものから順次に再生するようになっており、特に録音テープに用件メッセージを録音する装置では早巻き・巻き戻しに時間が掛かるため用件メッセージは録音順位に従って連続的に再生する。また、ＩＣメモリに用件メッセージをデジタル録音する装置では同様に全ての用件メッセージを連続的に再生することに加えて、用件メッセージ毎の再生操作をすることができるものもあり、ボタン操作で同一の用件メッセージを繰り返し再生したり前後の用件メッセージに飛んで再生することなども容易に行えるように工夫されているものがある。
【０００３】
【発明が解決しようとする課題】
しかしながら、このような従来の留守番電話装置にあっては、留守中の複数の用件メッセージのなかには同一人からの重要な用件メッセージが録音されている場合があり、例えば、緊急を要する件で刻一刻と変化する状況の報告であるときに、その用件メッセージが連続的に再生される場合には問題はないが、その間に他の人からのものが録音されているときには再度重要な用件メッセージが再生されるまで集中を維持することが難しく聞き逃してしまう場合がある。また、その間の他の人が重要な用件でない場合や間違い電話であった場合には何のメッセージも残さずに電話を切ることもあり、このときにはタイミングによってはビジートーンが録音されて再生時に苛々することもある。
【０００４】
このような問題に対して、例えば、特開平９−２１４５９６号公報には、重要な用件のみを録音するように工夫した留守番電話装置が記載されており、この装置では発信者電話番号を利用して一定時間内に繰り返し掛かってきた相手にのみ用件メッセージを録音する応答を行うようになっている。
また、特開平６−２１６９８８号公報には、逆に、同一の発信者電話番号のときには着信を拒否するように工夫した留守番電話装置が記載されており、この装置では同一人が繰り返し電話してくるが留守であるためにすぐに切ってしまう場合の不都合を解消するようになっている。
【０００５】
しかし、これら公報に記載の留守番電話装置であっても、前者の装置では緊急を要するような用件であっても１回目の電話は受け付けられないという問題があり、発信者は２度掛けしなければならず、発信者にはその手間を強要するとともに精神的な苦痛を与えるという問題がある。
また、後者の装置では、繰り返しメッセージを残したい場合には重要な用件である場合が多く、にも拘らずに２回目以降は拒否されてしまい用件を伝えることができないという問題がある。
【０００６】
そこで、本発明は、発信者電話番号を利用して用件メッセージを再生することにより、関連する用件をまとめて再生できるようにして、用件の伝達性を向上させることを目的とする。
【０００７】
【課題を解決するための手段】
上記目的達成のため、請求項１に記載の発明は、着信側に発信者電話番号を通知する交換機に接続される留守番電話装置において、前記交換機から通知されてくる発信者電話番号を取得する番号取得手段と、発信者からの用件メッセージの録音時には取得した発信者電話番号を対応付けして記憶手段に記憶・録音する該用件メッセージを管理する情報管理手段と、用件メッセージの再生時には該用件メッセージを発信者電話番号毎にまとめて受信順位に従って記憶手段から読み出して連続的に再生手段により再生する再生制御手段とを備え、前記情報管理手段は、計時手段による計時時刻を用件メッセージの受信時刻として発信者電話番号と共に該用件メッセージに対応付けして管理する一方、前記再生制御手段は、用件メッセージの受信時刻の間隔が設定時間内である用件メッセージに限って連続的に再生することを特徴とするものである。
【０００８】
この請求項１に記載の発明では、相手先の発信者電話番号が取得されて記憶・録音する用件メッセージに対応付けされ、その用件メッセージは発信者電話番号毎にまとめて受信順に連続的に再生される。したがって、同一の発信者からの用件メッセージを他の人の用件メッセージを間に挟むことなく連続的に聞くことができる。
さらに、用件メッセージは相手先の発信者電話番号と共に受信時刻が対応付けされ、発信者電話番号が同一で受信間隔が設定時間以内であるときに連続的に再生される。したがって、短時間に繰り返される同一の発信者からの同一の用件に関するメッセージを連続的に聞くことができる。
【０００９】
請求項２に記載の発明は、着信側に発信者電話番号を通知する交換機に接続される留守番電話装置において、前記交換機から通知されてくる発信者電話番号を取得する番号取得手段と、発信者からの用件メッセージの録音時には取得した発信者電話番号を対応付けして記憶手段に記憶・録音する該用件メッセージを管理する情報管理手段と、用件メッセージの再生時には該用件メッセージを発信者電話番号毎にまとめて受信順位に従って記憶手段から読み出して連続的に再生手段により再生する再生制御手段とを備え、前記情報管理手段は、記憶手段に記憶・録音させることを許容する最大録音時間一杯までの用件メッセージであるか否かを管理する一方、前記再生制御手段は、許容時間一杯の用件メッセージに続く用件メッセージに限って連続的に再生することを特徴とするものである。
【００１０】
この請求項２に記載の発明では、相手先の発信者電話番号が取得されて記憶・録音する用件メッセージに対応付けされ、その用件メッセージは発信者電話番号毎にまとめて受信順に連続的に再生される。したがって、同一の発信者からの用件メッセージを他の人の用件メッセージを間に挟むことなく連続的に聞くことができる。
さらに、用件メッセージは発信者電話番号が同一で許容時間一杯まで録音されている先の用件メッセージに続くものであるときに連続的に再生される。したがって、最大録音時間により録音を制限されたために別件として分割・録音された同一の発信者からの同一の用件に関するメッセージを続けて聞くことができる。
請求項３に記載の発明は、請求項１に記載の発明の構成に加え、前記情報管理手段は、記憶手段に記憶・録音させることを許容する最大録音時間一杯までの用件メッセージであるか否かを管理する一方、前記再生制御手段は、許容時間一杯の用件メッセージに続く用件メッセージに限って連続的に再生することを特徴とするものである。
【００１１】
この請求項３に記載の発明では、用件メッセージは発信者電話番号が同一で許容時間一杯まで録音されている先の用件メッセージに続くものであるときに連続的に再生される。したがって、最大録音時間により録音を制限されたために別件として分割・録音された同一の発信者からの同一の用件に関するメッセージを続けて聞くことができる。
【００１２】
【発明の実施の形態】
以下、本発明を図面に基づいて説明する。
図１〜図３は本発明に係る留守番電話装置を備えるファクシミリ装置の第１実施形態を示す図である。
図１において、ファクシミリ装置は、制御プログラムに従って装置各部を統括制御するとともに本発明の各種処理を実行するＣＰＵ10と、その制御プログラムを格納するＲＯＭ11と、装置各部の駆動条件や管理データ等の各種情報を記憶するとともに動作する上で必要なデータを記憶するＲＡＭ12と、駆動条件、装置状態あるいは入力情報などの各種情報を表示するＬＣＤやＬＥＤなどの表示器と共にオペレータによる設定や命令等の入力操作を行なうテンキーやファンクションキーなどの各種操作キーを配設されている操作表示部13と、電話回線に接続され発着信の際に所定の回線制御を実行して回線接続あるいはその切断を行なう網制御部14と、画像データや各種手順信号を変復調し網制御部14を介してその画像（文書）データを送受信するモデム15と、送信する画像データをデータ圧縮して符号化する一方、受信した画像データを伸長して復号化する符号化復号化部16と、読取／受信した画像データを記憶・蓄積する画像メモリ17と、送信する原稿画像から画像データを読み取るスキャナ18と、読取／受信した画像データに基づいて記録媒体を記録紙に記録して画像を出力するプロッタ19とを備えて、ファクシミリ装置として機能する。なお、図１中、20は現在の時刻を計時する時計回路（計時手段）であり、経過時間の測定や時刻指定送信時などに使用する。また、18ａはスキャナ18にセットされた原稿の有無を検出する原稿センサ、19ａはプロッタ19の記録紙カセット内にセットされている記録紙の有無を検出する記録紙センサである。
【００１３】
このファクシミリ装置は、網制御部14に不図示のハンドセットが準備されており、そのハンドセットを介して相手先と通話することができる。また、操作表示部13に設けられている留守録ボタンを押下することにより不在モードを実行して、相手先からの通信要求が通話であるときに（相手先が電話機でファクシミリ信号を確認することができないときに）予め準備されている用件メッセージの録音を促す応答メッセージを送出した後の音声信号を録音することができるようになっており、その音声信号を録音するためにデジタル変換する音声録音部21と、デジタル変換した音声データを記憶する音声メモリ（記憶手段）22と、記憶する音声データを再生出力可能にアナログ変換して音声合成をする音声合成部23と、再生可能に変換された音声データを出力する不図示のスピーカ（再生手段）とを備えている。なお、応答メッセージは予め準備されている音声データを音声合成部23により変換して電話回線を介して相手先に送出すればよく、音声メモリ22に記憶する音声データにおいても符号化・復号化部16により公知の圧縮方式により圧縮して記憶するようにしてもよい。
【００１４】
また、このファクシミリ装置は、交換機が電話回線を介して通知してくる発信者電話番号を受信（取得）する専用のモデム機能をモデム15に内蔵しており、その発信者電話番号を例えば、操作表示部13に表示出力などして有効利用することができるようになっている。すなわち、モデム15が番号取得手段を構成する。
音声メモリ22は、画像メモリ17と別個に準備してもよいが、本実施形態では１つのメモリ構成（例えば、大容量のハードディスク装置等からなるＳＡＦ（Store And Forward）メモリなど）を共通使用するにようになっており、音声蓄積エリアと画情報蓄積エリアとを区別して使用し、各用件メッセージを音声ファイルとして画像ファイルと同様の取扱でメモリに記憶するようになっている。なお、後述するドキュメントコントロールファイルなどのファイル管理テーブル内に、例えば音声ファイル側に音声データであることを示す識別子を付加することにより共通エリア内に記憶・蓄積し１つのチェーンで共通にリンクさせることができるようにしてもよいが、本実施形態では検索の容易性を考慮してエリアを区別し別々の使用中チェーンにリンクするようにしている。
【００１５】
具体的には、図２を用いて画像データの場合から説明するが、システムメモリとして機能するＲＡＭ12内のドキュメントコントロールファイルでファイル（文書）単位の蓄積日時（受信時刻）や通信相手先情報などを管理し、さらにページコントロールファイルでその文書内のページ単位のページ属性やページ状態などを管理する一方、その画像データ自体はページ毎のブロックに分割してテキストブックファイルという形で画像メモリ17に記憶・蓄積するようになっている。なお、通信相手先としては、送信ファイルの場合には操作表示部13から短縮入力やダイヤル入力などされた相手先電話番号を格納し、受信ファイルの場合にはモデム15が取得した相手先電話番号を格納するが、受信ファイルの場合には送信元から送られてくるＩＤコードを格納するようにしてもよい。
【００１６】
一方、音声データの場合にも同様の方式により管理すればよく、音声データの場合にはページという概念がないため、用件メッセージの録音（蓄積）時に得られる蓄積日時や通信相手先などの必要なデータを用件メッセージ毎のファイル単位にドキュメントコントロールファイルで管理し、音声データ自体はメッセージ毎にテキストブックファイルという形で音声メモリ22に記憶・蓄積すればよい。ドキュメントコントロールファイルで管理する情報としては、通信相手先には用件メッセージのときに相手先からＩＤコードが送られてくることはないので発信者電話番号を格納することになり、この他には例えば、必要のない総ページ数に代えて用件メッセージの録音時間を、出力済みページ数に代えて再生済みか否なのフラグ情報を格納する。すなわち、ＲＡＭ12が情報管理手段を構成している。なお、音声データの場合にはページという概念がないため、用件メッセージ全体を１つのファイルとして管理するとともに個別の用件メッセージ毎の情報をページに対応させ管理することにより、画像データのテーブル構成をそのまま使用するようにしてもよい。
【００１７】
そして、ＣＰＵ10は、画像データおよび音声データの使用可能ファイルおよび使用中ファイルを、管理テーブルに格納するアドレスによりリンク付けし各々チェーン状態としてＲＡＭ12に管理させるようになっており、データを消去したファイルは使用可能ファイルチェーンの最後尾に移す一方、逆に新たに蓄積したファイルは使用中ファイルチェーンの最後尾に移すことにより、使用中ファイルが使用開始順に（データの蓄積順位になるように）リンクされるように制御する。また、ＣＰＵ10は、留守録を行った後に操作表示部13の留守録ボタンが再度押下されるなどの用件メッセージの再生操作が行われたときには、ＲＡＭ12内のドキュメントコントロールファイル情報に従って使用中音声ファイルの先頭側にあるファイル、つまり録音日時が先である用件メッセージから順番に音声メモリ22から読み出し音声合成部23を介してスピーカから再生する再生処理を行うようになっている。すなわち、ＣＰＵ10が再生制御手段を構成している。
【００１８】
具体的には、図３のフローチャートに示すように、不在モード状態で留守録ボタンが押下されると、用件メッセージの再生処理を開始してＲＡＭ12の管理テーブル内の音声ファイルのリンク先頭を指定する再生用ポインタをセットするとともに（ステップＰ１）、先ずは再生用ポインタと同一内容のチェック用ポインタを準備し（ステップＰ２）、次いで、そのポインタにより指定されている音声ファイルの通信相手先の発信者電話番号をＲＡＭ12内に一時記憶させ（ステップＰ３）、その音声ファイルの用件メッセージの再生処理（以下、単に音声ファイルの再生処理という）を開始する（ステップＰ４）。
【００１９】
並行して、チェック用ポインタを次の再生終了フラグの付加されていない音声ファイルに一つ進めて仮指定するとともに（ステップＰ５）、そのファイルの通信相手先が同一であるか一時記憶する発信者電話番号と比較して確認し（ステップＰ６）、同一であったときには、再生処理が終了するのを待って（ステップＰ７）その音声ファイルに再生終了フラグをセットした後に（ステップＰ８）、ステップＰ４に戻ってそのチェック用ポインタにより指定されている音声ファイルの再生処理を開始するとともに、チェック用ポインタを進めての相手先の確認やその音声ファイルの再生処理を繰り返す。したがって、再生済みの音声ファイルを繰り返し再生することなく、同一の発信者電話番号の相手からの用件メッセージをまとめて受信順位に従い連続的に再生することができ、同一の発信者からの用件メッセージを間に他の人の用件メッセージを挟むことなく連続して聞くことができる。
【００２０】
また、ステップＰ６において、仮指定した音声ファイルの通信相手先が再生中の音声ファイルと異なる場合には、最新の音声ファイルまでのチェックが完了したか確認して（ステップＰ９）、完了していないときにはステップＰ５に戻ってチェック用ポインタを進めての相手先の確認やその音声ファイルの再生処理を繰り返す一方、最新の音声ファイルまでのチェックが完了した場合には再生終了フラグの付加されていない未再生の音声ファイルの存在の有無を確認して（ステップＰ10）、未再生の音声ファイルが存在しない場合にはこの処理を終了するが、存在する場合には音声ファイルの再生処理が終了するのを待って（ステップＰ11）その音声ファイルに再生終了フラグをセットし（ステップＰ12）、再生用ポインタを再生終了フラグの付加されていない最先の音声ファイルに進めた後に（ステップＰ13）、ステップＰ２に戻って、以降、同様な処理を繰り返す。したがって、再生済みの音声ファイルを繰り返し再生することなく、用件メッセージを発信者毎に順次に聞くことができる。
【００２１】
なお、ステップＰ10において未再生の音声ファイルが存在しないことを確認してこの処理を終了したときや、この再生処理の中止を指示する命令があったときには付加した再生終了フラグを初期化することにより、用件メッセージを繰り返し聞くことができるようにする。
このように本実施形態においては、同一の発信者からの関連する用件メッセージを他人の関係のない用件メッセージに邪魔されることなく連続的に聞くことができ、用件の内容を聞き逃すおそれを少なくすることができる。
【００２２】
次に、図４は本発明に係る留守番電話装置を備えるファクシミリ装置の第２実施形態を示す図である。なお、本実施形態は上述第１実施形態と同様に構成されているので、図１、図２を流用し同様な処理には同一のステップ数を付して特徴部分を説明する。
図１において、ＣＰＵ10は、図４のフローチャートに示すように、不在モード状態で留守録ボタンが押下され用件メッセージの再生処理を開始した後に、進めたチェック用ポインタにより指定された音声ファイルが再生中の通信相手先と発信者電話番号が一致することを確認したときには（ステップＰ６）、蓄積日時の時間差が予め設定されている時間間隔内であるか否か確認し（ステップＰ21）、その設定時間間隔を越えていない場合に限って再生中の音声ファイルに続けてその音声ファイルの再生処理を継続する（ステップＰ７、Ｐ８、Ｐ４〜）。
【００２３】
一方、ステップＰ21において、蓄積日時の時間差は設定時間間隔を越えていることが確認された場合にはステップＰ10に進んで、再生中の音声ファイルの再生処理が終了するのを待って（ステップＰ11）新たに同一または異なる通信相手先からの用件メッセージの再生処理を継続する（ステップＰ12〜）。
したがって、短時間に繰り返される同一の発信者からの用件メッセージは同一の用件に関するメッセージである場合が多いことから、発信者電話番号が同一で、かつ、受信間隔が設定時間以内である用件メッセージのみを連続的に再生して連続的に聞くことができる一方、一定時間経過した以降の用件メッセージは同一の発信者であっても別の用件であるとして他の人の用件メッセージと優劣なく順次に聞くことができる。
【００２４】
このように本実施形態においては、上述第１実施形態の作用効果に加えて、同一の発信者により関連する用件であるために短時間に繰り返される用件メッセージを連続的に聞くことができ、用件毎にまとめて伝達することができる。
次に、図５は本発明に係る留守番電話装置を備えるファクシミリ装置の第３実施形態を示す図である。なお、本実施形態は上述第２実施形態と同様に構成されているので、図１、図２を流用して同様な処理には同一のステップ数を付して特徴部分を説明する。
【００２５】
図１において、ＣＰＵ10は、図５のフローチャートに示すように、不在モード状態で留守録ボタンが押下され用件メッセージの再生処理を開始した後に、進めたチェック用ポインタにより指定された音声ファイルが再生中の通信相手先と発信者電話番号が一致し蓄積日時の時間差が設定時間間隔内であること確認したときには（ステップＰ６、Ｐ21）、さらにＲＡＭ12内で管理する再生中の音声ファイルの録音時間が予め設定されている許容最大録音時間に達しているか確認し（ステップＰ31）、許容時間一杯まで用件メッセージを録音する（途中で切断されてしまった）用件メッセージである場合に限って再生中の音声ファイルに続けてその音声ファイルの再生処理を継続する（ステップＰ７、Ｐ８、Ｐ４〜）。
【００２６】
一方、ステップＰ31において、再生中の音声ファイルの録音時間は設定許容時間一杯でないことが確認された場合には、蓄積日時の時間差が設定時間間隔を越えている場合と同様にステップＰ10に進んで、再生中の音声ファイルの再生処理が終了するのを待って（ステップＰ11）新たに同一または異なる通信相手先からの用件メッセージの再生処理を継続する（ステップＰ12〜）。
【００２７】
したがって、許容時間以上の用件メッセージを伝えたい場合には短時間に同一の発信者からの用件メッセージが繰り返されることから、発信者電話番号が同一で、受信間隔が設定時間以内、かつ、再生中の用件メッセージが許容時間一杯録音されている場合にのみをその用件メッセージを連続的に再生して連続的に聞くことができる一方、以外の用件メッセージは同一の発信者が短時間に繰り返すものであっても１つの用件メッセージではないと判断して他の人の用件メッセージと優劣なく順次に聞くことができる。
【００２８】
このように本実施形態においては、上述第２実施形態の作用効果に加えて、最大録音時間の制限のために別の用件メッセージとして録音されているものでも続けて聞くことができ、１つの用件メッセージとして聞くことができる。
なお、本実施形態では、蓄積日時の時間差が設定時間間隔内である場合も確認しているが、これを確認しない再生処理としてもよいことはいうまでもない。
【００２９】
【発明の効果】
請求項１に記載の発明によれば、発信者電話番号毎にまとめて受信順に連続的に用件メッセージを再生するので、同一の発信者からの関連する用件メッセージを他の関係のない用件メッセージに邪魔されることなく連続的に聞くことができ、用件の内容を聞き逃すおそれを少なくすることができる。したがって、用件の伝達性を向上させることができる。
さらに、発信者電話番号が同一で受信間隔が設定時間以内である用件メッセージを連続的に再生するので、同一の発信者により短時間に繰り返されるものを関連する用件メッセージとして連続的に聞くことができ、用件毎にまとめて伝達することができる。したがって、用件の伝達性を向上させることができる。
【００３０】
請求項２に記載の発明によれば、発信者電話番号毎にまとめて受信順に連続的に用件メッセージを再生するので、同一の発信者からの関連する用件メッセージを他の関係のない用件メッセージに邪魔されることなく連続的に聞くことができ、用件の内容を聞き逃すおそれを少なくすることができる。したがって、用件の伝達性を向上させることができる。
さらに、最大録音時間一杯まで録音した用件メッセージに続けて録音されている発信者電話番号が同一の用件メッセージを連続的に再生するので、最大録音時間の制限のために別の用件メッセージとして録音されているものを続けて１つの用件メッセージとして聞くことができる。したがって、用件の伝達性を向上させることができる。
【００３１】
請求項３に記載の発明によれば、最大録音時間一杯まで録音した用件メッセージに続けて録音されている発信者電話番号が同一の用件メッセージを連続的に再生するので、最大録音時間の制限のために別の用件メッセージとして録音されているものを続けて１つの用件メッセージとして聞くことができる。したがって、用件の伝達性を向上させることができる。
【図面の簡単な説明】
【図１】本発明に係る留守番電話装置を備えるファクシミリ装置の第１実施形態を示す図であり、その概略全体構成を示すブロック図である。
【図２】そのファイル管理を説明する概念図である。
【図３】その再生処理を説明するフローチャートである。
【図４】本発明に係る留守番電話装置を備えるファクシミリ装置の第２実施形態を示す図であり、その再生処理を説明するフローチャートである。
【図５】本発明に係る留守番電話装置を備えるファクシミリ装置の第３実施形態を示す図であり、その再生処理を説明するフローチャートである。
【符号の説明】
10    ＣＰＵ（再生制御手段）
11    ＲＯＭ
12    ＲＡＭ（情報管理手段）
13    操作表示部
14    網制御部
15    モデム（番号取得手段）
17    画像メモリ
18    スキャナ
19    プロッタ
20    時計回路（計時手段）
21    音声録音部
22    音声メモリ（記憶手段）
23    音声合成部
【図１】
0003722978.tif 000002
【図２】
0003722978.tif 000003
【図３】
0003722978.tif 000004
【図４】
0003722978.tif 000005
【図５】
0003722978.tif 000006